【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
光源から射出された光束を画像情報に応じて変調する光変調装置を有する光学ユニット本体、および前記光変調装置にて変調された光束を投写する投写レンズを備えたプロジェクターであって、
前記光学ユニット本体に対する前記投写レンズの傾きを調整する調整機構を備え、
前記調整機構は、
前記投写レンズを支持する支持部と、
前記光学ユニット本体の一部を構成するベース部と、
前記支持部とで前記ベース部を挟装する挟装部と、
前記支持部を前記挟装部に固定する固定部材と、
前記ベース部と前記支持部との間の距離を調整可能とする調整部材と、
を備えることを特徴とするプロジェクター。
【請求項２】
請求項１に記載のプロジェクターであって、
前記投写レンズの傾きを調整する際、前記支持部および前記挟装部は、前記固定部材を緩めた状態で前記ベース部に支持されることを特徴とするプロジェクター。
【請求項３】
請求項１または請求項２に記載のプロジェクターであって、
前記調整部材は、当該プロジェクターの設置姿勢において、前記投写レンズの光軸を含む鉛直方向の面および水平方向の面それぞれに対して両側に配置されていることを特徴とするプロジェクター。
【請求項４】
請求項１〜請求項３のいずれか一項に記載のプロジェクターであって、
前記調整部材は、一方の端部に頭部を有し、他方の端部側が前記ベース部に螺合され、回転されることにより前記頭部が前記支持部に当接して、前記支持部を支持することにより前記ベース部と前記支持部との間の距離を調整することを特徴とするプロジェクター。
【請求項５】
請求項１〜請求項４のいずれか一項に記載のプロジェクターであって、
当該プロジェクターの外装を構成する外装筐体は、
前記固定部材および前記調整部材を露出させる第１筐体と、
前記固定部材および前記調整部材を覆い、前記第１筐体に着脱自在に構成された第２筐体と、
を有することを特徴とするプロジェクター。
【請求項６】
請求項５に記載のプロジェクターであって、
前記第２筐体は、前記固定部材および前記調整部材を覆うカバー本体と、
前記第１筐体および前記カバー本体に係合され、前記カバー本体を前記第１筐体に固定させる補助部材と、
を備えることを特徴とするプロジェクター。
【手続補正２】
【補正対象書類名】明細書
【補正対象項目名】全文
【補正方法】変更
【補正の内容】
【発明の詳細な説明】
【発明の名称】プロジェクター
【技術分野】
【０００１】
本発明は、プロジェクターに関する。
【背景技術】
【０００２】
従来、光源から射出された光束を変調する光変調装置、および変調した光束を投写する投写レンズを備えたプロジェクターが知られている。近年、大画面の投写や、プロジェクターに近く配置された投写面に投写（近接投写）可能なプロジェクターが要望されている。この大画面や近接投写のために、投写レンズが大型化、重量化し、投写レンズが取り付けられる部材に対して自重により前倒れする（傾く）現象が発生している。投写レンズが傾くと、投写される画像は、フォーカス調整されても画像の投写面内において部分的なフォーカスずれが発生するため、この投写レンズの傾きを調整できるレンズ装着装置が提案されている（例えば、特許文献１参照）。
【０００３】
特許文献１に記載のレンズ装着装置は、投写レンズユニットと、この投写レンズユニットを装着するためのレンズマウンターとを備えている。
投写レンズユニットは、レンズマウンターに当接するフランジ部と、レンズマウンターの切り欠き部に嵌合するバヨネット係合爪を有している。
レンズマウンターは、切り欠き部を有するレンズマウント本体と、バヨネット係合爪を押圧する板バネと、投写レンズユニットのフランジ部と当接し、投写レンズユニットの光軸方向の取り付け角度を調整するための角度調整プレートと、角度調整ネジと、角度調整プレート固定ネジと、角度調整プレートとバヨネット係合爪の隙間にその姿勢を保ちながら把持されるように設けた規制ピンとを有している。
そして、角度調整プレートとレンズマウント本体とは、角度調整プレート固定ネジによって固定されており、規制ピンは、一端が角度調整プレートに当接し、他端が板バネの内側に接するように設けられている。
そして、特許文献１に記載のレンズ装着装置は、角度調整プレート固定ネジが緩められた後、角度調整ネジが回転されることにより、角度調整プレートがレンズマウント本体から離れ、規制ピンが角度調整プレートに当接した状態を保ちつつ、角度調整プレート側へ移動する。そして、バヨネット係合爪は、板バネを介して規制ピンに接するまで、角度調整プレートと同じく移動する。その結果、投写レンズユニットは、装置本体の光軸に対する傾きが調整される。
【先行技術文献】
【特許文献】
【０００４】
【特許文献１】特開２０１０− ２７６８９５号公報
【発明の概要】
【発明が解決しようとする課題】
【０００５】
しかしながら、特許文献１に記載の技術は、角度調整ネジおよび角度調整プレート固定ネジがそれぞれ１つで構成されているのか、また複数配置されている場合には、平面的にどのように配置されているのかが開示されておらず、調整方法によっては、角度調整プレートに過度な負荷（曲げ応力）を与える恐れがある。また、特許文献１に記載の技術は、板バネを用いたバヨネット構造に適用される技術であり、板バネを用いない構造には適用できないという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調する光変調装置を有する光学ユニット本体、および前記光変調装置にて変調された光束を投写する投写レンズを備えたプロジェクターであって、前記光学ユニット本体に対する前記投写レンズの傾きを調整する調整機構を備え、前記調整機構は、前記投写レンズを支持する支持部と、前記光学ユニット本体の一部を構成するベース部と、前記支持部とで前記ベース部を挟装する挟装部と、前記支持部を前記挟装部に固定する固定部材と、前記ベース部と前記支持部との間の距離を調整可能とする調整部材と、を備えることを特徴とする。
【０００８】
この構成によれば、調整機構は、上述したように構成されているので、支持部と挟装部との固定が解除されるように、固定部材が操作されることにより、支持部は、挟装部およびベース部に対する距離が変更可能な状態となる。この状態で、調整部材が操作されてベース部と支持部との間の距離が変更されると、ベース部に対する支持部の傾き、つまり支持部に支持されている投写レンズの傾きを調整することが可能となる。よって、投写レンズの自重等による光学ユニット本体に対する傾きを調整することができる。したがって、プロジェクターは、投写面内におけるフォーカスずれが抑制された画像の投写が可能となる。
また、傾きを調整する際に支持部、ベース部、および挟装部等の部材に過度に負荷をかけずに調整可能とする構成なので、各部材の強度を過度に強化する必要が無く、調整機構、ひいてはプロジェクターの大型化や重量化を抑制してこの調整機構を備えたプロジェクターの提供が図れる。
また、上述した構成は、投写レンズを支持部にネジ等で固定する構造や、投写レンズを板バネ等を用いて支持部に支持させ、着脱自在とするバヨネット構造等にも適用できる構成なので、投写レンズの支持構造に制約されずに投写レンズの傾きを調整できるプロジェクターが可能となる。
【０００９】
［適用例２］上記適用例に係るプロジェクターにおいて、前記投写レンズの傾きを調整する際、前記支持部および前記挟装部は、前記固定部材を緩めた状態で前記ベース部に支持されることが好ましい。
【００１０】
この構成によれば、傾きを調整する際に支持部、ベース部、および挟装部等の部材に過度に負荷（曲げ応力）をかけずに調整可能な構成とすることができ、支持部、ベース部、および挟装部等の部材の曲げ応力による影響を抑制することができる。
【００１１】
［適用例３］上記適用例に係るプロジェクターにおいて、前記調整部材は、当該プロジェクターの設置姿勢において、前記投写レンズの光軸を含む鉛直方向の面および水平方向の面それぞれに対して両側に配置されていることが好ましい。
【００１２】
この構成によれば、調整部材は、少なくとも４つ設けられ、投写レンズの光軸を含む鉛直方向の面（鉛直面）、および水平方向の面（水平面）それぞれの両側に配置される。これによって、水平面の両側に配置された調整部材でプロジェクターの設置姿勢における投写レンズの鉛直方向の傾きを調整し、鉛直面の両側に配置された調整部材でプロジェクターの設置姿勢における投写レンズの水平方向の傾きを調整することが可能となる。よって、ベース部と支持部との間の距離をバランスよく調整すると共に、投写レンズの傾きを調整する作業を効率的に行うことが可能となる。
【００１３】
［適用例４］上記適用例に係るプロジェクターにおいて、前記調整部材は、一方の端部に頭部を有し、他方の端部側が前記ベース部に螺合され、回転されることにより前記頭部が前記支持部に当接して、前記支持部を支持することにより前記ベース部と前記支持部との間の距離を調整することが好ましい。
【００１４】
この構成によれば、ベース部から突出する調整部材を回転させることによりベース部からの突出量を変え、頭部を支持部に当接させることでベース部と支持部との間の距離を調整することができる。これによって、支持部と調整部材とを接続させる必要がないので、簡素な構成、および簡単な作業でベース部と支持部との間の距離を調整し、投写レンズの傾きを調整することが可能となる。
【００１５】
［適用例５］上記適用例に係るプロジェクターにおいて、当該プロジェクターの外装を構成する外装筐体は、前記固定部材および前記調整部材を露出させる第１筐体と、前記固定部材および前記調整部材を覆い、前記第１筐体に着脱自在に構成された第２筐体と、を有することが好ましい。
【００１６】
この構成によれば、外装筐体は、上述した第１筐体および第２筐体を備えているので、投写レンズの傾きを調整する場合には、第１筐体から第２筐体を取り外し、調整が終了した場合には、第１筐体に第２筐体を装着することが容易に可能となる。これによって、プロジェクターを構成する部材のうち、第２筐体以外の部材を分解することなく容易に投写レンズの傾き調整ができると共に、第２筐体を装着した際のプロジェクターの外観性向上が図れる。
また、この第２筐体を備えることにより、外装筐体に設けられる開口部の開口面積を減らしてプロジェクター外部から内部への塵埃の侵入を抑制することが可能となる。
【００１７】
［適用例６］上記適用例に係るプロジェクターにおいて、前記第２筐体は、前記固定部材および前記調整部材を覆うカバー本体と、前記第１筐体および前記カバー本体に係合され、前記カバー本体を前記第１筐体に固定させる補助部材と、を備えることが好ましい。
【００１８】
この構成によれば、第２筐体は、上述したカバー本体および補助部材を備え、カバー本体と第１筐体とに補助部材を係合させることで、第１筐体に装着される。これによって、第２筐体を装着するためのネジ等の部材を備えることなく、また、工具等を用いることなく、容易に第２筐体を第１筐体に装着することができる。
【図面の簡単な説明】
【００１９】
【図１】本実施形態のプロジェクターの概略構成を示す模式図。
【図２】本実施形態のプロジェクターの外観の一部を示す斜視図。
【図３】本実施形態の投写レンズ、ヘッド体、レンズシフト機構、および    調整機構の斜視図。
【図４】本実施形態のレンズシフト機構および調整機構の主な構成を説明    するための分解斜視図。
【図５】本実施形態の調整機構の分解斜視図。
【図６】本実施形態の調整機構の斜視図。
【図７】本実施形態の支持部を後方斜めから見た斜視図。
【図８】本実施形態の調整方法を説明するための調整機構の模式図。
【図９】本実施形態の投写レンズおよびカバーを取り外したプロジェクタ    ーを前方から見た平面図。
【図１０】本実施形態のカバーを分解したプロジェクターの斜視図。
【図１１】本実施形態の係合部、およびこの係合部近傍のカバーを示す断    面図。
【図１２】本実施形態のカバーの分解斜視図。
【発明を実施するための形態】
【００２０】
以下、本実施形態に係るプロジェクターについて、図面を参照して説明する。本実施形態のプロジェクターは、光源から射出された光束を画像情報に応じて変調し、スクリーン等の投写面に画像を投写する。また、本実施形態のプロジェクターは、机上等に据え置かれる据置き設置、据置き設置に対してプロジェクターの上下が反転されて天井等に設置される天吊り設置や、据置き設置および天吊り設置とは異なる姿勢での設置が可能に構成されている。
【００２１】
〔プロジェクターの主な構成〕
図１は、本実施形態のプロジェクター１の概略構成を示す模式図である。
プロジェクター１は、図１に示すように、外装を構成する外装筐体２、制御部（図示省略）、光源装置３１および投写レンズ３６を有する光学ユニット３を備えている。なお、図示は省略するが、外装筐体２の内部には、さらに、光源装置３１や制御部に電力を供給する電源装置、光学ユニット３等を冷却する冷却装置等が配置されている。
【００２２】
本実施形態のプロジェクター１は、投写レンズ３６を移動させるレンズシフト機構５を備え、スクリーン等に投写された画像を移動できるように構成されている。また、本実施形態のプロジェクター１は、投写レンズ３６の傾きを調整可能な調整機構６を備えている。なお、以下では、説明の便宜上、投写レンズ３６から光束が射出される方向を前側、プロジェクター１の据置き設置における上方を上側として記載する。
【００２３】
図２は、プロジェクター１の外観の一部を示す斜視図であり、投写レンズ３６近傍を示す図である。
外装筐体２は、合成樹脂製であり、図２に示すように、外装筐体２の上部を形成するアッパーケース２１、下部を形成するロアーケース２２、前部を形成する第１筐体としてのフロントケース２３、および第２筐体としてのカバー２４を備えている。
【００２４】
アッパーケース２１およびフロントケース２３は、図２に示すように、双方の部材の境界部にレンズシフト機構５を操作するためのダイアル５３１，５４１が露出するように形成されている。
フロントケース２３は、前面２３Ｆの中央部に凹部２３１が形成されており、この凹部２３１の底部には、投写レンズ３６の先端部を露出させると共に、調整機構６を操作するための開口部２３１Ｈ（図９参照）が設けられている。
【００２５】
カバー２４は、投写レンズ３６の先端部を露出させる開口部２４Ｈを有し、開口部２３１Ｈの一部を覆うように形成されている。また、カバー２４は、フロントケース２３に対して着脱自在に構成され、調整機構６が操作される際に、フロントケース２３から取り外される。カバー２４、およびカバー２４近傍のフロントケース２３の形状については、後で詳細に説明する。
また、図示は省略するが、外装筐体２には、外気を取り込むための吸気口、および外装筐体２内部の温まった空気を外部に排気する排気口等が設けられている。
【００２６】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２７】
〔光学ユニットの構成〕
光学ユニット３は、制御部による制御の下、光源装置３１から射出された光束を光学的に処理して投写する。光学ユニット３は、図１に示すように、光源装置３１に加え、インテグレーター照明光学系３２、色分離光学系３３、リレー光学系３４、光学装置４、投写レンズ３６、ヘッド体３７、レンズシフト機構５、調整機構６、およびこれらの部材を光路上の所定位置に配置する光学部品用筐体３８を備えている。
【００２８】
光学ユニット３は、図１に示すように平面視略Ｌ字状に形成され、一方の端部に光源装置３１が着脱可能に配置され、他方の端部に投写レンズ３６が配置される。なお、以下では、説明の便宜上、光源装置３１から光束が射出される方向を＋Ｘ方向、プロジェクター１から投写される光束が射出される方向を＋Ｙ方向（前方向）、上方向を＋Ｚ方向として記載する。また、±Ｘ方向を左右方向とする。
【００２９】
光源装置３１は、超高圧水銀ランプやメタルハライドランプ等からなる放電型の光源３１１およびリフレクター３１２等を備え、光源３１１から射出された光束をリフレクター３１２にて反射し、インテグレーター照明光学系３２に向けて射出する。
【００３０】
インテグレーター照明光学系３２は、第１レンズアレイ３２１、第２レンズアレイ３２２、偏光変換素子３２３、および重畳レンズ３２４を備え、光源装置３１から射出された光束が後述する液晶ライトバルブ４３の表面に略均一に照射されるように、また有効利用されるように構成されている。
【００３１】
色分離光学系３３は、２枚のダイクロイックミラー３３１，３３２、および反射ミラー３３３を備え、インテグレーター照明光学系３２から射出された光束を赤色光（以下「Ｒ光」という）、緑色光（以下「Ｇ光」という）、青色光（以下「Ｂ光」という）の３色の色光に分離する機能を有する。
【００３２】
リレー光学系３４は、入射側レンズ３４１、リレーレンズ３４３、および反射ミラー３４２，３４４を備え、色分離光学系３３で分離されたＲ光をＲ光用の液晶ライトバルブ４３まで導く機能を有する。なお、光学ユニット３は、リレー光学系３４がＲ光を導く構成としているが、これに限らず、例えば、Ｂ光を導く構成としてもよい。
【００３３】
光学装置４は、各色光用に設けられた電気光学装置４０（Ｒ光用の電気光学装置を４０Ｒ、Ｇ光用の電気光学装置を４０Ｇ、Ｂ光用の電気光学装置を４０Ｂとする）、および色合成光学装置としてのクロスダイクロイックプリズム４１を備えている。
各電気光学装置４０は、入射側偏光板４２、光変調装置としての液晶ライトバルブ４３、および射出側偏光板４４を備え、各色光を画像情報に応じて変調する。
【００３４】
クロスダイクロイックプリズム４１は、４つの直角プリズムを貼り合わせた平面視略正方形状をなし、直角プリズム同士を貼り合わせた界面には、２つの誘電体多層膜が形成されている。クロスダイクロイックプリズム４１は、誘電体多層膜が電気光学装置４０Ｒ，４０Ｂにて変調された色光を反射し、電気光学装置４０Ｇにて変調された色光を透過して、各色光を合成し、光軸４１ｊを有して投写レンズ３６に射出する。
【００３５】
図３は、投写レンズ３６、ヘッド体３７、レンズシフト機構５、および調整機構６の斜視図である。図４は、レンズシフト機構５および調整機構６の主な構成を説明するための分解斜視図である。
【００３６】
投写レンズ３６は、光軸３６ｊに沿って配置される複数のレンズ（図示省略）を有し、クロスダイクロイックプリズム４１にて合成された光をスクリーン上に拡大投写する。
投写レンズ３６は、図４に示すように、複数のレンズを収納する鏡筒３６１、鏡筒３６１の前側に配設され、外径が鏡筒３６１より大きいズームリング３６２、およびフォーカスリング３６３を有している。
鏡筒３６１の外周には、光軸３６ｊを中心とする円周方向に１２０°の等間隔で３つの突起部３６１１が設けられている。
【００３７】
ヘッド体３７は、レンズシフト機構５を支持し、光学部品用筐体３８に取り付けられる。ヘッド体３７には、投写レンズ３６の上下方向および左右方向の移動を規制する規制部が設けられており、投写レンズ３６は、この規制部に規制させる範囲で移動可能に構成されている。
【００３８】
レンズシフト機構５は、詳細な構成は後で説明するが、上下方向（±Ｚ方向）に移動可能なベース部７（図３、図４参照）、および左右方向（±Ｘ方向）に移動可能な左右可動部５２（図４参照）を備えている。
ベース部７は、調整機構６の後述する支持部８を介して投写レンズ３６を支持する。そして、レンズシフト機構５は、ダイアル５３１，５４１が手動操作によって回転されることにより、投写レンズ３６を上下方向（±Ｚ方向）および左右方向（±Ｘ方向）に移動させる。
【００３９】
調整機構６は、詳細な構成は後で説明するが、図３に示すように、投写レンズ３６を支持する支持部８を備え、ベース部７に対する投写レンズ３６の倒れを調整可能に構成されている。なお、光学部品用筐体３８、光学部品用筐体３８に収納される光学部品、ヘッド体３７、およびベース部７は、光学ユニット本体３０として構成される。
【００４０】
〔レンズシフト機構の主な構成〕
ここで、レンズシフト機構５について詳細に説明する。
レンズシフト機構５は、図４に示すように、ベース部７、左右可動部５２に加え、図３に示すように、第１輪列機構５３、および第２輪列機構５４を備えている。
【００４１】
ベース部７は、ヘッド体３７の前方に配置され、ダイアル５３１が回転操作されることにより、ヘッド体３７に対し、光軸４１ｊに直交する上下方向（±Ｚ方向）に移動可能に構成されている。ベース部７は、ヘッド体３７に設けられた規制部により上下方向の移動が規制されており、この規制部で規制される間で自在に移動可能に構成されている。また、ベース部７は、調整機構６の一部を構成しており、詳細な形状については、後で説明する。
【００４２】
左右可動部５２は、図４に示すように、ヘッド体３７とベース部７との間に配置されている。左右可動部５２は、ベース部７の上下方向（±Ｚ方向）への移動を案内し、ダイアル５４１が回転操作されることにより、ベース部７と共に光軸４１ｊに直交する左右方向（±Ｘ方向）に移動可能に構成されている。つまり、支持部８を介してベース部７に支持される投写レンズ３６は、左右可動部５２に対して上下方向に移動可能に構成され、左右可動部５２と共に左右方向に移動可能に構成されることとなる。また、左右可動部５２は、ヘッド体３７に設けられた規制部により左右方向の移動が規制されており、この規制部で規制される間で自在に移動可能に構成されている。
【００４３】
第１輪列機構５３は、ベース部７を上下方向に移動させる機構であり、図３に示すように、ダイアル５３１、複数の伝達歯車５３２、リードスクリュー（図示省略）およびフレーム５３４を備えている。
ダイアル５３１は、ユーザーの回転操作によって、ベース部７を上下方向に移動させるための駆動力を発生する。ダイアル５３１は、図３に示すように、レンズシフト機構５の＋Ｘ側端部近傍の上側に配置される。
【００４４】
ダイアル５３１は、図３に示すように、円錐形の先端部分が切断されたような形状を有し、上下方向に沿う回転中心軸を中心に回転可能に配置される。ダイアル５３１の上面には、凹部が設けられており、この凹部の中央部には、ユーザーが抓むことが可能なリブ５３１１が形成されている。そして、ダイアル５３１の側面５３１２には、ユーザーが操作する際の滑り止めのための凹凸が設けられている。
【００４５】
ダイアル５３１は、図２に示すように、リブ５３１１が外装筐体２の上面から露出し、側面５３１２の一部が外装筐体２の前側（投写面に対向する側）から露出するように配置される。そして、ダイアル５３１は、リブ５３１１が抓まれての回転操作（上面操作）、および側面５３１２への接線方向への押圧による回転操作（側面操作）が可能に形成されている。
【００４６】
複数の伝達歯車５３２については、詳細な説明は省略するが、ダイアル５３１が回転されることにより発せられる駆動力を第１輪列機構５３のリードスクリューに伝達する。
第１輪列機構５３のリードスクリューは、外周にネジ溝が形成されており、上下方向に沿う回転中心軸を中心に配置され、伝達歯車５３２から伝達された駆動力によって回転する。
【００４７】
フレーム５３４は、ダイアル５３１、および複数の伝達歯車５３２を支持し、ヘッド体３７に取り付けられる。フレーム５３４は、図３に示すように、上フレーム５３４１、および上フレーム５３４１の下方に位置する下フレーム５３４２を備えている。
上フレーム５３４１および下フレーム５３４２は、板金からプレス加工等によって形成されており、ダイアル５３１は、上フレーム５３４１の上方に位置し、複数の伝達歯車５３２は、上フレーム５３４１と下フレーム５３４２との間に位置するように支持される。上フレーム５３４１と下フレーム５３４２とは、ネジにより固定される。
【００４８】
第１輪列機構５３のリードスクリューには、ベース部７を牽引する牽引部材（図示省略）が噛合されており、この牽引部材には、上下方向においてベース部７に係止される突出部が設けられている。
【００４９】
ダイアル５３１が回転されると、複数の伝達歯車５３２を介してリードスクリューが回転し、リードスクリューに噛合されている牽引部材がダイアル５３１の回転方向に応じて移動する。その結果、ベース部７、つまり、投写レンズ３６は、上下方向に移動することとなる。本実施形態のレンズシフト機構５は、上方から見てダイアル５３１が時計回りに回転されると投写レンズ３６が上方に移動し、ダイアル５３１が反時計回りに回転されると、投写レンズ３６が下方に移動するように構成されている。
【００５０】
第２輪列機構５４は、左右可動部５２を左右方向に移動させることによりベース部７、つまり、投写レンズ３６を左右方向に移動させる機構であり、図３に示すように、ダイアル５４１、複数の伝達歯車５４２、リードスクリュー５４３およびフレーム５４４を備えている。
ダイアル５４１は、ダイアル５３１と共通の部材で構成され、ユーザーの回転操作によって、左右可動部５２を左右方向に移動させるための駆動力を発生する。ダイアル５４１は、図３に示すように、レンズシフト機構５の− Ｘ側端部近傍の上側に、ダイアル５３１と同様に、上下方向に沿う回転中心軸を中心に回転可能に配置される。
【００５１】
ダイアル５４１は、図２に示すように、ダイアル５３１と同様に、リブ５４１１が外装筐体２の上側から露出し、側面５４１２の一部が外装筐体２の前側から露出するように配置される。そして、ダイアル５４１は、ダイアル５３１と同様に、上面操作や側面操作によって回転するように構成されている。
【００５２】
複数の伝達歯車５４２については、詳細な説明は省略するが、ダイアル５４１が回転されることにより発せられる駆動力をリードスクリュー５４３に伝達する。
リードスクリュー５４３は、外周にネジ溝が形成されており、左右方向に沿う回転中心軸を中心に配置され、伝達歯車５４２から伝達された駆動力によって回転する。
【００５３】
フレーム５４４は、ダイアル５４１、複数の伝達歯車５４２を支持し、ヘッド体３７に取り付けられる。フレーム５４４は、図３に示すように、上フレーム５４４１、および上フレーム５４４１の下方に位置する下フレーム５４４２を備えている。
上フレーム５４４１および下フレーム５４４２は、板金からプレス加工等によって形成されており、ダイアル５４１は、上フレーム５４４１の上方に位置し、複数の伝達歯車５４２は、上フレーム５４４１と下フレーム５４４２との間に位置するように支持される。上フレーム５４４１と下フレーム５４４２とは、ネジにより固定される。
【００５４】
リードスクリュー５４３には、左右可動部５２を牽引する牽引部材（図示省略）が噛合されており、この牽引部材には、左右方向において左右可動部５２に係止される突出部が設けられている。
【００５５】
ダイアル５４１が回転されると、複数の伝達歯車５４２を介してリードスクリュー５４３が回転し、リードスクリュー５４３に噛合されている牽引部材がダイアル５４１の回転方向に応じて移動する。その結果、左右可動部５２、つまり、投写レンズ３６は、左右方向に移動することとなる。本実施形態のレンズシフト機構５は、上方からみてダイアル５４１が時計回りに回転されると投写レンズ３６が＋Ｘ方向に移動し、ダイアル５４１が反時計回りに回転されると、投写レンズ３６が− Ｘ方向に移動するように構成されている。
【００５６】
〔調整機構の構成〕
調整機構６は、図４に示すように、ベース部７、支持部８、挟装部９、板バネ６ｓｐ、固定部材としての固定ネジ６Ａ、調整部材としての調整ネジ６Ｂ、および出荷用ネジ６Ｃ（図９参照）を備えている。
図５は、調整機構６の分解斜視図である。図６は、調整機構６の斜視図である。
ベース部７は、図５に示すように、平面視で略矩形状に形成され、中央には投写レンズ３６の鏡筒３６１が挿通される平面視円形状の挿通孔７１が設けられている。そして、ベース部７には、さらに、この挿通孔７１の内周縁部に繋がる固定部用孔７１Ａ、ガイドピン用孔７１Ｂが形成されている。
【００５７】
固定部用孔７１Ａは、挿通孔７１の下側に１か所、およびに挿通孔７１の上側で略左右対称に位置する２か所に形成されている。ガイドピン用孔７１Ｂは、挿通孔７１の左右それぞれに１か所形成されている。
【００５８】
また、ベース部７の前側には、ネジ溝が形成されたボス７２，７３が設けられている。
ボス７２は、図５に示すように、挿通孔７１の下側に設けられた固定部用孔７１Ａの両側、および挿通孔７１の上側に設けられた２つの固定部用孔７１Ａそれぞれの近傍に、投写レンズ３６側に突出して設けられている。換言すると、ボス７２は、プロジェクター１の据置き設置状態において、投写レンズの光軸３６ｊを含む鉛直方向の面（鉛直面）および水平方向の面（水平面）それぞれに対して両側に形成されている。そして、このボス７２のネジ溝には、調整ネジ６Ｂが螺合される。
【００５９】
ボス７３は、ボス７２より突出量が小さく形成されており、挿通孔７１の外周に略等間隔に４つ設けられている。ボス７３のネジ溝には、出荷用ネジ６Ｃが螺合される。
【００６０】
支持部８は、ベース部７の前方に配置され、板バネ６ｓｐを利用したバヨネット構造により投写レンズ３６を支持する。
支持部８には、図５に示すように、中央に投写レンズ３６の鏡筒３６１が挿通される平面視円形状の挿通孔８１が設けられ、支持部８の前面には、３つの突起部３６１１が設けられた投写レンズ３６を挿入可能な平面視で略円形状の凹部８２が形成されている。
【００６１】
そして、この凹部８２の底面側（− Ｙ側）の面には、３つの突起部３６１１がそれぞれ挿通される切欠き８３が設けられている。
また、円周方向における切欠き８３の縁部近傍には、−Ｙ側が窪む窪み８２１が設けられている。そして、この窪み８２１には、図６に示すように、板バネ６ｓｐが配置されている。
【００６２】
図７は、支持部８を後方斜めから見た斜視図である。
支持部８は、図７に示すように、挿通孔８１の周縁が後方（ベース部７側）に突出して形成されている。
そして、支持部８には、後方に突出する円筒状のボス８４，８５および円柱状のガイド用ボス８６が設けられている。
【００６３】
ボス８４は、図５、図７に示すように、ベース部７の固定部用孔７１Ａに対応する位置に形成され、前面に開口部８４Ａを有し、底面には、固定ネジ６Ａのネジ部が挿通可能な丸孔が設けられている。
ボス８５は、ベース部７のボス７３に対応する位置に形成され、前面に開口部８５Ａを有し、底面には、出荷用ネジ６Ｃのネジ部が挿通可能な丸孔が設けられている。
ガイド用ボス８６は、ベース部７のガイドピン用孔７１Ｂに対応する位置に形成され、後面には、挟装部９の後述するガイドピン９３が挿入されるガイド孔８６Ｈが設けられている。
【００６４】
また、支持部８には、図７に示すように、ボス８４，８５より突出量が小さい円筒状のネジ受部８７が設けられている。
ネジ受部８７は、ベース部７のボス７２に対応する位置に形成されている。
ネジ受部８７は、投写レンズ３６の倒れ調整をする際に、ボス７２に螺合された調整ネジ６Ｂのネジ頭（頭部６Ｂｈ）が当接可能に形成され、中央には調整ネジ６Ｂを回転させる治具（ドライバーの先端部）が挿入可能な大きさの貫通孔８７Ｈが設けられている。
【００６５】
挟装部９は、図５に示すように、ベース部７の後方に配置され、支持部８とでベース部７を挟装する。
挟装部９は、図５に示すように、平面視で略円形状の本体部９１、固定部９２およびガイドピン９３を有している。
本体部９１は、前方側がベース部７の挿通孔７１に挿入される大きさに形成され、後方側が挿通孔７１の周縁部に当接する大きさに形成されている。そして、本体部９１の中央には、投写レンズ３６の鏡筒３６１が挿通される挿通孔９１Ｈが形成されている。
【００６６】
固定部９２は、支持部８が固定される部位であり、図５に示すように、ベース部７の固定部用孔７１Ａに挿通され、支持部８の３つのボス８４にそれぞれに対応して３つ設けられている。そして、この固定部９２には、固定ネジ６Ａが螺合されるネジ溝が形成されている。
ガイドピン９３は、支持部８の２つのガイド孔８６Ｈにそれぞれ挿入されるように２つ形成されており、支持部８と挟装部９とのＸ− Ｚ平面方向における位置決めを行う。
【００６７】
固定ネジ６Ａは、支持部８の３つの開口部８４Ａそれぞれから挿入され、挟装部９の固定部９２のネジ溝に螺合され、支持部８を挟装部９に固定する。
【００６８】
調整ネジ６Ｂは、一方の端部に頭部６Ｂｈを有し、他方の端部側がベース部７の４つのボス７２それぞれのネジ溝に螺合される、つまり、調整ネジ６Ｂは、プロジェクター１の据置き設置状態において、投写レンズの光軸３６ｊを含む鉛直方向の面および水平方向の面それぞれに対して両側に配置される。
そして、調整ネジ６Ｂは、回転されることにより頭部６Ｂｈがネジ受部８７に当接して、支持部８を支持することによりベース部７と支持部８との間の距離を調整する。
本実施形態では、固定ネジ６Ａおよび調整ネジ６Ｂは共通のものが使用されており、頭部６Ｂｈの先端が凸状の曲面で、径が大きい、いわゆるバインドネジやトラスネジ等が用いられている。
【００６９】
出荷用ネジ６Ｃは、投写レンズ３６の傾き調整が行われる前、つまりプロジェクター１の出荷時の状態で調整機構６が確実に光学ユニット本体３０に固定されるように設けられている。出荷用ネジ６Ｃは、支持部８の開口部８５Ａから挿入され、ベース部７のボス７３のネジ溝に螺合され、支持部８をベース部７に固定する。なお、出荷用ネジ６Ｃは、投写レンズ３６の傾き調整が行われる際には、調整機構６から外される。
【００７０】
調整機構６は、以下のように組み立てられる。
先ず、ベース部７のボス７２に調整ネジ６Ｂを螺合させる。この際、後で組み込まれる支持部８に調整ネジ６Ｂが当接しないように、ボスからの飛び出し量が所定以下となるように調整ネジ６Ｂを螺合させる。
次に、ベース部７の後方から挿入される挟装部９に支持部８を取り付ける。具体的に、図６に示すように、開口部８４Ａから固定ネジ６Ａを挿入し、支持部８を挟装部９に固定する（ボス８４と固定部９２を当接させる）。
次に、開口部８５Ａから出荷用ネジ６Ｃを挿入し、支持部８をベース部７に固定する。
以上により、調整機構６の組み立てが終了する。
【００７１】
投写レンズ３６は、突起部３６１１が支持部８の切欠き８３に合わせられて鏡筒３６１が挿通孔８１に挿通される。そして、投写レンズ３６は、突起部３６１１が挟装部９の本体部９１に当接したところで光軸３６ｊを中心に回転され、突起部３６１１が板バネ６ｓｐと本体部９１とに挟持されて固定される。また、投写レンズ３６は、図示しないロック機構により回転が規制され、突起部３６１１が板バネ６ｓｐと本体部９１とに挟持される状態がロックされるように構成されており、ロック機構の図示しない解放ボタンが操作されることによってロックが解除され、投写レンズ３６の取り外しが可能となる。
【００７２】
〔調整方法〕
次に、投写レンズ３６の傾きを調整する調整方法について説明する。ここでは、プロジェクター１が据置き設置された場合の調整方法について説明する。
図８は、調整方法を説明するための調整機構６の模式図であり、（ａ）は、調整機構６における固定ネジ６Ａおよび調整ネジ６Ｂの配置を示す平面図、（ｂ）、（ｃ）は調整前の調整機構６を示す図、（ｄ）、（ｅ）は調整後の調整機構６を示す図である。なお、図８は、各構成要素の状態を明確にするために、各構成要素の形状や比率を実際のものとは適宜異ならせてある。
【００７３】
調整ネジ６Ｂは、前述したように、また、図８（ａ）に示すように、プロジェクター１の据置き設置において、光軸３６ｊを含む鉛直方向の面および水平方向の面それぞれに対して両側に配置される。
固定ネジ６Ａは、図８（ａ）に示すように、投写レンズ３６の下方、および投写レンズ３６の上方で、２つの調整ネジ６Ｂそれぞれの近傍に配置される。なお、出荷用ネジ６Ｃは、前述したように、投写レンズ３６の傾き調整が行われる際には、調整機構６から取り外される。
【００７４】
調整機構６は、調整前において、図８（ｂ）に示すように、調整ネジ６Ｂが支持部８（ネジ受部８７）から離間し、図８（ｃ）に示すように、固定ネジ６Ａによりボス８４と固定部９２とが当接する初期状態となっている。
そして、投写レンズ３６は、調整前において、自重により先端側が後端側より下方に位置するように傾き、光軸３６ｊも光軸４１ｊに対して傾いた状態となる。図示は省略するが、投写面に投写される画像は、投写レンズ３６が傾くと、フォーカス調整を行っても画像の投写面内において部分的なフォーカスずれが発生する。
【００７５】
投写レンズ３６の傾きを調整する際には、投写面に調整用の画像を投写して行う。
先ず、３つの固定ネジ６Ａを所定の量緩める。初期状態から各固定ネジ６Ａが緩められることで、支持部８および挟装部９は、各固定ネジ６Ａの緩められた量に対応する遊びを有してベース部７に支持されることとなる。
次に、投写される調整用画像を観察しながら、投写される画像のフォーカスが面内で合うように、固定ネジ６Ａおよび調整ネジ６Ｂを回転して各調整ネジ６Ｂを各ネジ受部８７に当接させる（図８（ｄ）参照）。また、この調整作業においては、先端側が上方に移動するような上下方向の調整に加え、左右方向においても投写レンズ３６の傾きを調整することができる。そして、投写レンズ３６は、光軸３６ｊが光軸４１ｊと略平行な状態となるように傾きが調整される。
【００７６】
この傾きが調整された状態で、ボス８４と固定部９２とは、図８（ｅ）に示すように、調整される量に対応する距離で離間した状態となる。そして、支持部８は、４つの調整ネジ６Ｂで支持されると共に、固定ネジ６Ａによって挟装部９に固定されることで、ベース部７に対しても固定されることとなり、支持部８に支持された投写レンズ３６は、傾きが調整された状態が維持される。
以上で、投写レンズ３６の傾き調整作業が終了する。
【００７７】
なお、投写レンズ３６の傾きが調整されたプロジェクター１が異なる姿勢で設置される場合には、調整機構６は、初期状態に戻された後、上述した手順で調整が行われる。
【００７８】
〔カバー、およびカバー近傍のフロントケースの構成〕
ここで、外装筐体２のカバー２４、およびカバー２４近傍のフロントケース２３の形状について詳細に説明する。
先ずフロントケース２３について説明する。
フロントケース２３は、カバー２４が取り外されることで、投写レンズ３６の傾きの調整ができるように形成されている。
【００７９】
図９は、投写レンズ３６およびカバー２４を取り外したプロジェクター１を前方から見た平面図である。図１０は、投写レンズ３６を取り外し、カバー２４を分解したプロジェクター１の斜視図である。
【００８０】
フロントケース２３の凹部２３１は、図９、図１０に示すように、前面２３Ｆ側より底面２３１Ａ側（− Ｙ側）が小さくなるように側面２３１Ｂが傾斜し、前方から見て、前面２３Ｆ側の縁部および底面２３１Ａの外形が略矩形状になるように形成されている。
そして、底面２３１Ａに設けられた開口部２３１Ｈは、固定ネジ６Ａ、調整ネジ６Ｂおよび出荷用ネジ６Ｃが露出するように形成されている。そして、図１０に示すように、底面２３１Ａ上側の両角近傍には、矩形状の係合孔２３２が形成されている。
【００８１】
また、フロントケース２３は、図１０に示すように、凹部２３１の下側の一部が切り欠かれたような形状を有している。そして、この切り欠かれたような形状により互いに対向し、左右方向（±Ｘ方向）において一対の対向面２３１Ｃが設けられ、さらにこの対向面２３１Ｃの縁部には、前面２３Ｆおよび側面２３１Ｂより内側となる段差部２３１Ｄが設けられている。
【００８２】
そして、この一対の対向面２３１Ｃには、それぞれ係合部２３３が形成され、一対の対向面２３１Ｃの間には、突出部２３４が設けられている。
突出部２３４は、図１０に示すように、下方から見て矩形状に形成され、中央には、上下方向に撓み可能な撓み部２３４Ａが形成されている。そして、撓み部２３４Ａの先端部には、下方に突出するフック部２３４Ｆが設けられている。
【００８３】
一対の係合部２３３は、互いに対称形状となるように形成されている。
図１１は、一対の係合部２３３のうちの一方（− Ｘ側）の係合部２３３、およびこの係合部２３３近傍のカバー２４を示す断面図である。
係合部２３３は、図１１に示すように、第１係合部２３３ａおよび第２係合部２３３ｂを有している。
【００８４】
第１係合部２３３ａは、図１１に示すように、対向面２３１Ｃにおける後方（−Ｙ側）寄りで、上下方向（±Ｚ方向）の略中央に設けられており、図１１の図面視において前後方向（±Ｙ方向）が上下方向より長い長方形状に形成されている。そして、対向面２３１Ｃには、第１係合部２３３ａの後端側の下側に繋がり、後方に延出する延出部２３３ｃが形成されている。
第２係合部２３３ｂは、図１１に示すように、第１係合部２３３ａの下方に形成されており、図１１の図面視において前後方向が上下方向より長い長方形状から前側の下側が斜めに削除されたような形状を有している。
【００８５】
次に、カバー２４について説明する。
カバー２４は、固定ネジ６Ａ、調整ネジ６Ｂおよび出荷用ネジ６Ｃが外部から見えないように、フロントケース２３の開口部２３１Ｈの一部を覆うように形成され、フロントケース２３に着脱自在に構成されている。
【００８６】
カバー２４は、図１０に示すように、カバー本体２４１および補助部材２４２を備えている。
図１２は、カバー２４の分解斜視図である。
カバー本体２４１は、図１０、図１２に示すように、フロントケース２３の底面２３１Ａに積層され、固定ネジ６Ａ、調整ネジ６Ｂおよび出荷用ネジ６Ｃを覆う枠部２４１１を有し、枠部２４１１には、投写レンズ３６の鏡筒３６１が挿通される開口部２４Ｈが設けられている。そして、枠部２４１１には、開口部２４Ｈの周縁から後方に突出する環状部２４１２、上側の縁部から上方に突出する一対の突起部２４１３、および下側の縁部から突出する一対の係止部２４１４が設けられている。
【００８７】
環状部２４１２は、フロントケース２３の開口部２３１Ｈに挿入可能な大きさに形成されている。一対の突起部２４１３は、フロントケース２３の係合孔２３２に挿入可能に形成されている。
一対の係止部２４１４は、フロントケース２３の一対の対向面２３１Ｃの間に挿入可能に形成され、図１２に示すように、枠部２４１１から後方に延出した後、前方に湾曲され、上下方向に弾性を有して形成されている。
また、係止部２４１４は、図１１に示すように、カバー本体２４１がフロントケース２３に装着された際に、第１係合部２３３ａに係合するように形成されている。具体的に、係止部２４１４は、延出部２３３ｃによって下方への移動が規制されて先端が第１係合部２３３ａの後端に係合する。
【００８８】
また、カバー本体２４１には、図１０、図１２に示すように、一対の係止部２４１４の間に略直方体状の受部２４１５が形成されている。受部２４１５は、カバー本体２４１がフロントケース２３に装着された際に、フック部２３４Ｆの上方に位置し、撓み部２３４Ａとは離間するように形成されている。
係止部２４１４および受部２４１５の前面は、図１０に示すように、枠部２４１１の前面より後方に位置するように形成され、係止部２４１４および受部２４１５の前面と、枠部２４１１の前面との間には、段差部２４１Ａが形成されている。
【００８９】
カバー本体２４１は、突起部２４１３がフロントケース２３の係合孔２３２に挿入された後、枠部２４１１の下側が後方に押圧されることにより係止部２４１４が第１係合部２３３ａに係合して、フロントケース２３に装着される。
【００９０】
補助部材２４２は、図１２に示すように、断面視においてＶ字状に形成され、Ｖ字状の一片側を形成し上側となる上部材２４２Ｕ、およびＶ字状の他片側を形成し下側となる下部材２４２Ｄを有し、Ｙ−Ｚ平面に対して略左右対称に形成されている。
上部材２４２Ｕの外面は、フロントケース２３の側面２３１Ｂに倣うように形成され、下部材２４２Ｄの外面は、フロントケース２３の下側の面に倣うように形成されている。  下部材２４２Ｄには、図１０に示すように、フロントケース２３のフック部２３４Ｆに対応する位置に平面視略矩形状の貫通孔２４２Ｈが設けられている。
【００９１】
図１２に示すように、上部材２４２Ｕの左右方向における両側の縁部には、下部材２４２Ｄに向かって突出する一対の突出部が形成され、この一対の突出部には、互いに離間する方向（±Ｘ方向）に突出する第１凸部２４２ａが設けられている。
また、下部材２４２Ｄの左右方向における両側の縁部には、上部材２４２Ｕに向かって突出する一対の突出部が形成され、この一対の突出部には、互いに離間する方向（±Ｘ方向）に突出する第２凸部２４２ｂが設けられている。
【００９２】
補助部材２４２は、フロントケース２３の段差部２３１Ｄに載置されて押圧されることで、フロントケース２３のフック部２３４Ｆが貫通孔２４２Ｈの縁部に係合し（図示省略）、フロントケース２３およびカバー本体２４１に組み付けられる。
補助部材２４２は、フロントケース２３およびカバー本体２４１に組み付けられた状態で、図１１に示すように、第１凸部２４２ａが第１係合部２３３ａの下方に近接して位置し、下部材２４２Ｄと第２凸部２４２ｂとで第２係合部２３３ｂを挟持するように配置される。これにより、補助部材２４２は、上部材２４２Ｕと下部材２４２Ｄとの開きが抑えられつつ、フロントケース２３の段差部２３１Ｄおよびカバー本体の段差部２４１Ａに良好に嵌合し、図２に示すように、フロントケース２３の外面に沿うように配置される。
カバー本体２４１は、補助部材２４２が組み込まれることで、フロントケース２３に固定される。
【００９３】
一方、補助部材２４２は、図示は省略するが、貫通孔２４２Ｈの縁部に係合しているフック部２３４Ｆが、貫通孔２４２Ｈに挿入可能な部材、例えば、調整ネジ６Ｂを回転させるドライバーの先端等により、プロジェクター１の下方から押圧されることによって、係合が解除されてフロントケース２３およびカバー本体２４１から取り外される。なお、フック部２３４Ｆが所定以上押圧されると、撓み部２３４Ａが受部２４１５に当接するように設定されており、撓み部２３４Ａの破損の防止が図られている。
カバー本体２４１は、補助部材２４２が取り外されることにより、第１係合部２３３ａに対する係止部２４１４の係合の解除が可能となり、フロントケース２３から取り外しが可能となる。
このように、カバー２４は、ネジ等の他の部材を用いない構成でフロントケース２３に着脱される。
【００９４】
以上説明したように、本実施形態によれば、以下の効果を得ることができる。
（１）プロジェクター１は、上述した調整機構６を備えているので、投写レンズ３６の自重等による光学ユニット本体３０に対する傾きを調整することができる。したがって、プロジェクター１は、投写面内におけるフォーカスずれが抑制された画像の投写が可能となる。
また、傾きを調整する際に固定ネジ６Ａを緩めるので、支持部８、ベース部７、および挟装部９等の部材に過度な負荷をかけずに調整することが可能となる。よって、各部材の強度を過度に強化する必要が無く、調整機構６、ひいてはプロジェクター１の大型化や重量化を抑制して投写レンズ３６の傾きを調整できるプロジェクター１の提供が図れる。
【００９５】
（２）調整機構６は、前記実施形態で説明したバヨネット構造による投写レンズ３６の支持構造以外にも、投写レンズ３６を支持部８にネジ等で固定する構造にも適用できる構成なので、投写レンズ３６の支持構造に制約されずに、投写レンズ３６の傾きを調整できるプロジェクター１が可能となる。
【００９６】
（３）調整ネジ６Ｂは、４つ設けられ、光軸３６ｊを含む鉛直面および水平面それぞれの両側に配置されている。これによって、水平面の両側に配置された調整ネジ６Ｂでプロジェクター１の設置姿勢における投写レンズ３６の鉛直方向（上下方向）の傾きを調整し、鉛直面の両側に配置された調整ネジ６Ｂでプロジェクター１の設置姿勢における投写レンズ３６の水平方向（左右方向）の傾きを調整することが可能となる。よって、ベース部７と支持部８との間の距離をバランスよく調整すると共に、投写レンズ３６の傾きを調整する作業を効率的に行うことが可能となる。
【００９７】
（４）調整ネジ６Ｂを回転させることによりベース部７からの突出量を変え、頭部６Ｂｈを支持部８（ネジ受部８７）に当接させることでベース部７と支持部８との間の距離を調整することができる。これによって、支持部８と調整ネジ６Ｂとを接続させる必要がないので、簡素な構成、および簡単な作業でベース部７と支持部８との間の距離を調整し、投写レンズ３６の傾きを調整することが可能となる。
【００９８】
（５）投写レンズ３６の鏡筒３６１には、突起部３６１１以外に外部に突出する部位が不要なので、鏡筒３６１製造の簡素化や軽量化が可能となる。
【００９９】
（６）外装筐体２は、固定ネジ６Ａ、調整ネジ６Ｂおよび出荷用ネジ６Ｃを覆い、フロントケース２３に着脱自在に構成されたカバー２４を備えている。これによって、投写レンズ３６の傾きを調整する場合には、フロントケース２３からカバー２４を取り外し、調整が終了した場合には、フロントケース２３にカバー２４を装着することが容易に可能となる。これによって、プロジェクター１を構成する部材のうち、カバー２４以外の部材を分解することなく容易に投写レンズ３６の傾き調整ができると共に、カバー２４を装着した際のプロジェクター１の外観性向上が図れる。
また、カバー２４は、フロントケース２３の底面２３１Ａに積層されるので、開口部２３１Ｈにおける環状部２４１２の外側がより効果的に閉塞され、プロジェクター１外部から内部への塵埃の侵入を抑制することが可能となる。
【０１００】
（７）カバー２４は、カバー本体２４１とフロントケース２３とに補助部材２４２を係合させることで、フロントケース２３に装着される。これによって、カバー２４を装着するためのネジ等の部材を備えることなく、また、工具等を用いることなく、容易にカバー２４をフロントケース２３に装着することができる。
【０１０１】
（８）調整機構６は、出荷用ネジ６Ｃを備えているので、重量が軽い投写レンズ３６が用いられ、傾きの調整が不要な場合（頭部６Ｂｈをネジ受部８７に当接させない場合）にも投写レンズ３６の確実な固定が可能となる。
【０１０２】
（変形例）
なお、前記実施形態は、以下のように変更してもよい。
前記実施形態のプロジェクター１は、レンズシフト機構５を備え、調整機構６は、レンズシフト機構５に支持されるように構成されているが、レンズシフト機構５を備えない構成とし、ベース部７がヘッド体３７に固定される構造や、ベース部７とヘッド体３７とを一体的に形成するように構成してもよい。
【０１０３】
投写レンズ３６を支持部８に支持させる構成として、前記実施形態で説明した板バネ６ｓｐを利用したバヨネット構造に限らず、ネジを用いて投写レンズ３６を支持部８にネジ固定する構成であってもよい。
【０１０４】
前記実施形態の調整部材は、頭部６Ｂｈを有する調整ネジ６Ｂで構成され、頭部６Ｂｈが支持部８に当接してベース部７と支持部８との間の距離が調整されるように構成されているが、調整部材として一端側が螺合により支持部８に接続され、他端側がベース部７に回転可能に軸支されるように構成し、この調整部材が回転されることによって、ベース部７と支持部８との間の距離が調整されるように構成してもよい。
【０１０５】
投写レンズ３６の回転を規制するロック機構における解放ボタンをカバー２４で覆うように構成してもよい。これによって、解放ボタンを外部に露出させないことによるプロジェクター１の外観性の向上と共に、投写レンズ３６の盗難防止が図れる。
【０１０６】
カバー２４とフロントケース２３との間にクッション部材を配置するように構成してもよい。これによって、プロジェクター１外部から内部への塵埃の侵入をさらに抑制することが可能となる。
【０１０７】
前記実施形態のレンズシフト機構５は、手動式で構成されているが、モーター等を備える電動式であってもよい。
【０１０８】
前記実施形態のプロジェクター１は、光変調装置として透過型の液晶ライトバルブ４３を用いているが、反射型の液晶ライトバルブを利用したものであってもよい。また、光変調装置としてマイクロミラーアレイを用いたデバイス等を利用したものであってもよい。
【０１０９】
光源３１１は放電型のランプに限らず、その他の方式のランプや発光ダイオード等の固体光源で構成してもよい。
【符号の説明】
【０１１０】
１…プロジェクター、２…外装筐体、３…光学ユニット、５…レンズシフト機構、６…調整機構、６Ａ…固定ネジ、６Ｂ…調整ネジ、６Ｂｈ…頭部、６Ｃ…出荷用ネジ、７…ベース部、８…支持部、９…挟装部、２３…フロントケース、２４…カバー、３０…光学ユニット本体、３６ｊ…光軸、４１ｊ…光軸、４３…液晶ライトバルブ、８７…ネジ受部、２４１…カバー本体、２４２…補助部材、３１１…光源。